(57)【要約】【課題】機密文書等の内容物が収納された容器本体を不正に開封することを未然に防止すること。【解決手段】開封検知容器１は容器本体２と、蓋部３とを備え、容器本体２に回路付通信モジュール３０が設けられている。蓋部３に回路付通信モジュール３０の導電回路３２に接続可能なマグネット３４が設けられている。回路付通信モジュール３０はＩＣチップ１２を内蔵した通信モジュール１０を含み、容器本体２の開閉動作はＩＣチップ１２に時系列で記録される。【選択図】図１Ａ
2019056892.tif 000002
【特許請求の範囲】
【請求項１】
開封検知容器において、
開口部を有する容器本体と、
前記開口部を閉鎖する蓋部と、
前記容器本体と前記蓋部のうち、いずれか一方に設けられ、導電回路と、ＩＣチップを含む通信モジュールとを有する回路付通信モジュールと、
前記容器本体と前記蓋部の他方に設けられ、前記導電回路に接続可能な開閉スイッチとを備え、
前記通信モジュールのＩＣチップは前記開閉スイッチの開閉動作を特定する情報と、開閉動作の時刻情報を時系列で記録する記録部と、前記記録部を制御する制御部と、外部との間で近接通信を行う無線通信部とを有する、開封検知容器。
【請求項２】
開封検知容器において、
開口部を有する容器本体と、
前記開口部を閉鎖するとともに互いに重なり合う複数の蓋部分を含む蓋部と、
一の蓋部分に設けられ、導電回路と、ＩＣチップを含む通信モジュールとを有する回路付通信モジュールと、
他の蓋部分に設けられ、前記導電回路に接続可能な開閉スイッチとを備え、
前記通信モジュールのＩＣチップは前記開閉スイッチの開閉動作を特定する情報と、開閉動作の時刻情報を時系列で記録する記録部と、前記記録部を制御する制御部と、外部との間で近接通信を行う無線通信部とを有する、開封検知容器。
【請求項３】
前記容器本体と前記蓋部は固定手段により固定される、請求項１記載の開封検知容器。
【請求項４】
前記蓋部分は互いに、固定手段により固定される、請求項２記載の開封検知容器。
【請求項５】
前記回路付通信モジュールは、前記導電回路および前記通信モジュールを支持する基材を有し、前記基材は前記容器本体または前記蓋部から脱着可能となる、請求項１乃至４のいずれか記載の開封検知容器。
【発明の詳細な説明】
【技術分野】
【０００１】
本発明は、開口部を有する容器と蓋部とを有し、開口部の開封を検知可能な開封検知容器に関する。
【背景技術】
【０００２】
全国各地で行われる試験では、その試験問題などは予め密封袋等の容器内に収納され、それぞれの試験会場に事前に送付される。従来、密封袋は糊やシールなどで封止されているが、いつ開封したかまではわからないため、監督者が事前に密封袋を開いて試験問題を閲覧して試験問題を受験者に漏らしてしまうかもしれないという課題があった。
【先行技術文献】
【特許文献】
【０００３】
【特許文献１】特開２０１３−１４４５６２号公報
【特許文献２】特開２０１４−１００５号公報
【発明の概要】
【発明が解決しようとする課題】
【０００４】
本発明はこのような点を考慮してなされたものであり、密封袋を予め開いて試験問題を閲覧することを未然に防止することができる開封検知容器を提供することを目的とする。
【課題を解決するための手段】
【０００５】
本発明は、開封検知容器において、開口部を有する容器本体と、前記開口部を閉鎖する蓋部と、前記容器本体と前記蓋部のうち、いずれか一方に設けられ、導電回路と、ＩＣチップを含む通信モジュールとを有する回路付通信モジュールと、前記容器本体と前記蓋部の他方に設けられ、前記導電回路に接続可能な開閉スイッチとを備え、前記通信モジュールのＩＣチップは前記開閉スイッチの開閉動作を特定する情報と、開閉動作の時刻情報を時系列で記録する記録部と、前記記録部を制御する制御部と、外部との間で近接通信を行う無線通信部とを有する、開封検知容器である。
【０００６】
本発明は、開封検知容器において、開口部を有する容器本体と、前記開口部を閉鎖するとともに互いに重なり合う複数の蓋部分を含む蓋部と、一の蓋部分に設けられ、導電回路と、ＩＣチップを含む通信モジュールとを有する回路付通信モジュールと、他の蓋部分に設けられ、前記導電回路に接続可能な開閉スイッチとを備え、前記通信モジュールのＩＣチップは前記開閉スイッチの開閉動作を特定する情報と、開閉動作の時刻情報を時系列で記録する記録部と、前記記録部を制御する制御部と、外部との間で近接通信を行う無線通信部とを有する、開封検知容器である。
【０００７】
本発明は、前記容器本体と前記蓋部は固定手段により固定される、開封検知容器である。
【０００８】
本発明は、前記蓋部分は互いに、固定手段により固定される、開封検知容器である。
【０００９】
本発明は、前記回路付通信モジュールは、前記導電回路および前記通信モジュールを支持する基材を有し、前記基材は前記容器本体または前記蓋部から脱着可能となる、開封検知容器である。
【発明の効果】
【００１０】
以上のように本発明によれば、機密文書等の内容物が収納された容器本体を開封した事実およびその時刻を正確に認識することができ不正に開封することを未然に防止することができる。
【図面の簡単な説明】
【００１１】
【図１Ａ】図１Ａは本発明の第１の実施形態に係る開封検知容器の外観図。
【図１Ｂ】図１Ｂは本発明の第１の実施形態に係る開封検知容器の開口部を開いた状態の外観図。
【図１Ｃ】図１Ｃは本発明の第１の実施形態に係る開封検知容器を展開した図。
【図２】図２は回路付通信モジュールを示す図。
【図３】図３は通信モジュールの概略構成を示すブロック図。
【図４】図４はＡＳＩＣの内部構成の一例を示すブロック図。
【図５Ａ】図５Ａは本発明の第２の実施の形態に係る開封検知容器の外観図。
【図５Ｂ】図５Ｂは本発明の第２の実施の形態に係る開封検知容器の変形例を示す外観図。
【図５Ｃ】図５Ｃは本発明の第２の実施の形態に係る開封検知容器の変形例を示す外観図。
【図６】図６は本発明の第３の実施の形態に係る開封検知容器の外観図。
【発明を実施するための形態】
【００１２】
＜第１の実施の形態＞
以下、図面を参照して本発明の第１の実施の形態について説明する。ここで図１乃至図４は本発明による開封検知容器の第１の実施の形態を示す図である。
【００１３】
図１Ａ乃至図４に示すように、開封検知容器１は試験問題等の機密文書、あるいは機密サンプル等の内容物を収納して閉鎖するものである。
【００１４】
このような開封検知容器１は、開口部４を有するとともに、内容物を収納する偏平状の容器本体２と、容器本体２の開口部４を閉鎖する蓋部３とを備え、このうち容器本体２と蓋部３は一体に構成されている。このように一体に構成された容器本体２と蓋部３は、紙製またはＰＶＣ（塩化ビニル）等のプラスチック製となっているが、その他内容物が試薬等の機密サンプルの場合、ガスバリア性を有するプラスチック材料から構成することもできる。
【００１５】
また容器本体２は表面基材２Ａと裏面基材２Ｂ（表面基材２Ａの裏側の基材）とを有している。このうち裏面基材２Ｂの裏側には、回路付通信モジュール３０が貼り付けられている。また裏面基材２Ｂには、後述する回路付通信モジュール３０の端子回路３３を外方へ露出させる窓２ａが設けられている。なお、上述した蓋部３は、容器本体２の表面基材２Ａに一体に連結されている。
【００１６】
機密文書あるいは機密サンプル等の内容物は開口部４を介して容器本体２内に挿入され、内容物が挿入された容器本体２の開口部４は蓋部３により閉鎖される。また容器本体２の裏面基材２Ｂの表側にはマジックテープ（登録商標）４１が設けられ、一方、蓋部３には容器本体２のマジックテープ４１に係合するマジックテープ４２が設けられ、これらマジックテープ４１とマジックテープ４２とにより容器本体２と蓋部３が閉鎖状態で固定され、マジックテープ４１とマジックテープ４２は固定手段を構成する。
【００１７】
次に容器本体２の表面基材２Ａの裏側に設けられた回路付通信モジュール３０について述べる。
【００１８】
回路付通信モジュール３０は基材３１と、基材３１上に支持されＩＣチップ１２を含む通信モジュール１０と、基材３１上に印刷によって設けられ通信モジュール１０に接続された導電回路３２とを有する。このうち導電回路３２は端子回路３３を含み、この端子回路３３は、容器本体２の表面基材２Ａに設けられた窓２ａを介して容器本体２の外方へ露出する。
【００１９】
そして窓２ａを介して外方へ露出する端子回路３３は、蓋部３に設けられた鉄製の導電性マグネット（開閉スイッチ）３４に接触して導電回路３２を開閉するようになっている。ここでマグネット３４により開閉スイッチが構成される。
【００２０】
また回路付通信モジュール３０の基材３１の裏面（容器本体２の内側を向く面）には、マグネット３４を吸引する鉄製の小片３５が設けられ、容器本体２の開口部４を蓋部３により閉鎖した際、マグネット３４と小片３５が互いに吸引して、端子回路３３とマグネット３４とを確実に閉とすることができる。
【００２１】
次に回路付通信モジュール３０の通信モジュール１０について図３および図４により述べる。この通信モジュール１０はマグネット３４の開閉動作を特定するとともに、開閉動作の時刻を時系列で記録するものである。
【００２２】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００２３】
図３は通信モジュール１０の内部構成を機能化したブロック図であり、実際の各回路部品やパターンの配置やサイズ、形状、個数は任意に変更可能である。
【００２４】
図４はＡＳＩＣ１２の内部構成の一例を示すブロック図である。図４のＡＳＩＣ１２は、開閉スイッチ３３Ａの開閉動作を特定する情報と、開閉動作の時刻情報を時系列で記憶する記憶部２１と、記憶部２１に開閉スイッチ３３Ａの開閉動作およびその時刻情報を時系列で記憶する制御を行う制御部２２と、不図示のホストコンピュータとの間で無線通信を行う無線通信部（出力インターフェース部）２３とを有する。
【００２５】
記憶部２１は、マグネット３４の開閉動作を特定する情報と、その開閉動作の時刻情報とを組にして記憶する。
【００２６】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）やBluetooth（登録商標）等の非接触通信を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行い、Bluetoothの場合は規格で定めた周波数（例えば２．４ＧＨｚ）で無線通信を行う。
【００２７】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００２８】
次にこのような構成からなる本実施の形態の作用について説明する。  
まず、開封検知容器１の容器本体２内に試験問題等の機密文書（内容物）が開口部４を介して収納され、次に蓋部３により開口部４が閉鎖される。このとき容器本体２側のマジックテープ４１と蓋部３側のマジックテープ４２が係合して容器本体２の開口部４は蓋部３により確実に閉鎖される。また蓋部３側の導電性マグネット３４が、回路付通信モジュール３０の基材３１の裏面に設けられて鉄製小片３５に吸着され、導電性マグネット３４が導電回路３２の端子回路３３に接触し、導電回路３２を閉とする。
【００２９】
この場合、マグネット３４からなる開閉スイッチの閉動作およびその時刻がＡＳＩＣ１２の記憶部２１に記憶される。
【００３０】
次に開封検知容器１が試験会場まで運ばれる。そしてこの試験会場で、開封検知容器１の蓋部３が開かれて、開口部４を介して容器本体２から試験問題が取出される。このとき導電回路３２の端子回路３３からマグネット３４が離れて、導電回路３２を開とする。
【００３１】
この場合、マグネット３４とからなる開閉スイッチの開動作およびその時刻がＡＳＩＣ１２の記憶部２１に記憶される。
【００３２】
この間、試験会場に到着する前に開封検知容器１の蓋部３が不正に開かれて試験問題が取出されることも考えられる。
【００３３】
しかしながら、開封検知容器１が不正に開かれた場合、導電回路３２の端子回路３３からマグネット３４が離れて、導電回路３２が開となる。この場合も、マグネット３４からなる開閉スイッチの開動作およびその時刻がＡＳＩＣ１２の記憶部２１に記録されるため、開封検知容器１の不正開封を正確に認識することができる。
【００３４】
このように本実施の形態によれば開封検知容器１の開封した事実およびその時刻を正確に認識することができ、このことにより開封検知容器１の不正開封を未然に防止することができる。
【００３５】
なお、上記実施の形態において、蓋部３に導電性マグネット３４を設け、回路付通信モジュール３０に鉄製小片３５を設けた例を示したが、これに限らず蓋部３に鉄製小片３５を設け、回路付通信モジュール３０にマグネット３４を設けてもよい。この場合、蓋部３側の鉄製小片３５は導電回路３２の端子回路３３に接触する開閉スイッチとして機能する。
【００３６】
＜第２の実施の形態＞
次に図５Ａにより本発明の第２の実施の形態について説明する。  
図１Ａ乃至図４に示す第１の実施の形態において、開封検知容器１として偏平状の容器本体２と、容器本体２に一体に設けられた蓋部３とを有する容器の例を示したが、これに限らず図５Ａに示すように、開封検知容器５１は、円筒状の胴部５２Ａと、胴部５２Ａの上端に段部５２Ｂを介して設けられ開口部５４ａが形成され胴部５２Ａより小さな外径をもつ口部５４とを有する円筒状の容器本体５２と、容器本体５２の口部５４に装着される円筒状の蓋部５３とを備えていてもよい。
【００３７】
また、容器本体５２外面には回路付通信モジュール３０が設けられている。この回路付通信モジュール３０は胴部５２Ａ外面に貼り付けられＩＣチップ１２を含む通信モジュール１０と、この通信モジュール１０に接続された導電回路３２とを有し、導電回路３２は印刷により形成され、大径の胴部５２Ａ外面から小径の口部５４まで上方へ延び、口部５４の外面上端で終了して一対の両端３２ａを形成する。
【００３８】
一方、蓋部５３の上面の裏側には、容器本体５２の口部５４外面の上端まで延びて一対の両端３２ａを形成する導電回路３２に接触可能な、円弧状に形成された鉄製の小片５７が設けられ、口部５４に蓋部５３を装着した際、鉄製小片５７が導電回路３２の一対の両端３２ａと接触して導電回路３２を閉とする。このため鉄製小片５７は導電回路３２の開閉動作を行う開閉スイッチとして機能する。
【００３９】
また容器本体５２の口部５４外面には、導電回路３２と重複しない位置に複数の円周突起５５が設けられ、他方、蓋部５３の内面には、円周突起５５と係合する複数の円周凹部５６が設けられている。そして口部５４に蓋部５３を装着した際、口部５４の円周突起５５が蓋部５３の円周凹部５６に係合して、口部５４から蓋部５３が固定される。このため口部５４の円周突起５５と蓋部５３の円周凹部５６とにより、固定手段が構成される。なお、円周凹部５６は、蓋部５３の内面全周にわたって設けてもよい。
【００４０】
また、容器本体５２の胴部５２Ａ外面には位置決めマーク５８が設けられ、蓋部５３の外面にも位置決めマーク５９が設けられている。
【００４１】
容器本体５２の口部５４に蓋部５３を装着する際、位置決めマーク５８，５９同士を合わせることにより、蓋部５３の鉄製小片５７を導電回路３２に確実に装着させることができる。
【００４２】
なお、鉄製小片５７を蓋部５３の上面に全周に渡って設ける場合は、位置決めマーク５８，５９は必ずしも設ける必要はない。
【００４３】
なお、上記容器本体５２および蓋部５３は、全体としてポリプロピレン製（ＰＰ）、ポリエチレン製（ＰＥ）、またはポリ塩化ビニル（ＰＶＣ）の材料により構成することができる。
【００４４】
図５において、容器本体５２内に機密文書が収納され口部５４に蓋部５３が装着される。このとき容器本体５２外面に設けられた導電回路３２の一対の両端３２ａと、蓋部５３の上面裏側に設けられた鉄製小片５７が接触し、容器本体５２の開口部５４ａが蓋部５３により閉鎖されたことを通信モジュール１０のＡＳＩＣ１２に内蔵された記憶部２１に記憶することができる。
【００４５】
同様に容器本体５２の口部５４から蓋部５３が取外されて開口部５４ａが開封されると、容器本体５２外面に設けられた導電回路３２の一対の両端３２ａから鉄製小片５７が離れて導電回路３２が開となる。この場合、導電回路３２の開動作を通信モジュール１０のＡＳＩＣ１２に内蔵された記憶部２１に記憶することができる。
【００４６】
次に第２の実施の形態の変形例について、図５Ｂおよび図５Ｃにより説明する。図５Ａに示す実施の形態において、回路付通信モジュール３０を容器本体５２の胴部５２Ａ外面に設けた例を示したが、これに限らず、図５Ｂに示すように、回路付通信モジュール３０を容器本体５２の胴部５２Ａ内面に設けてもよい。
【００４７】
あるいはまた、図５Ａに示す実施の形態において、蓋部５３の上面の裏側に鉄製の小片５７を設けた例を示したが、これに限らず図５Ｃに示すように、鉄製小片５７を蓋部５３の下端部に設けてもよい。この場合、導電回路３２は円筒状の胴部５２Ａから段部５２Ｂまで延び、導電回路３２の一対の両端３２ａは段部５２Ｂに配置される。
【００４８】
なお、図５Ｂおよび図５Ｃに示す変形例において、図５Ａに示す部分と同一部分については、同一の符号を付して詳細な説明は省略する。
【００４９】
＜第３の実施の形態＞
次に図６により本発明の第３の実施の形態について説明する。  
図１乃至図４に示す第１の実施の形態において、開封検知容器１として偏平状の容器本体２と、容器本体２に一体に設けられた蓋部３とを有する容器の例を示したが、これに限らず開封検知容器５１は、開口部６２ａを有するダンボール製の直方体状の箱型容器本体６２と、容器本体６２の上端に設けられ開口部６２ａを閉鎖するとともに容器本体６２の４側面から上方に延びる４つの蓋部分６３ａ，６３ｂ，６３ｃ，６３ｄを含む蓋部６３とを備えていてもよい。
【００５０】
また、蓋部６３のうち一の蓋部分６３ａの内面には、回路付通信モジュール３０が設けられている。この回路付通信モジュール３０は蓋部分６３ａの内面に貼り付けられＩＣチップ１２を含む通信モジュール１０と、この通信モジュール１０に接続され、一対の両端３２ａを有する導電回路３２とを有し、この導電回路３２は印刷により形成されている。
【００５１】
また蓋部６３のうち回路付通信モジュール３０が設けられた蓋部分６３ａに隣接する蓋部分６３ｄ外面に、開口部６２ａを蓋部６３により閉鎖する際、回路付通信モジュール３０の導電回路３２の一対の両端３２ａに接触して開閉スイッチとして機能する鉄製小片６５が貼り付けられている。
【００５２】
図６において、容器本体６２内に開口部６２ａから試験問題等の機密文書が収納され、開口部６２ａが４つの蓋部分６３ａ，６３ｂ，６３ｃ，６３ｄにより閉鎖される。このとき、蓋部分６３ａ，６３ｂ，６３ｃ，６３ｄのうち、まず蓋部分６３ｂ，６３ｄが開口部６２ａ側へ折畳まれ、次に蓋部分６３ａ，６３ｃが蓋部分６３ｂ，６３ｄ上に折畳まれる。
【００５３】
このとき蓋部分６３ａ内面に設けられた導電回路３２の一対の両端３２ａに蓋部分６３ｄ外面に設けられた鉄製小片６５が接触し、容器本体６２の開口部６２ａが４つの蓋部分６３ａ，６３ｂ，６３ｃ，６３ｄからなる蓋部６３により閉鎖されたことを通信モジュール１０のＡＳＩＣ１２に内蔵された記憶部２１に記憶することができる。この場合、容器本体６２に蓋部分６３ａ，６３ｂ，６３ｃ，６３ｄからなる蓋部６３を、図示しないマジックテープ又はひも等の固定手段で固定してもよい。
【００５４】
同様に容器本体６２の開口部６２ａから４つの蓋部分６３ａ，６３ｂ，６３ｃ，６３ｄからなる蓋部６３が開かれると、蓋部分６３ａ内面に設けられた導電回路３２の一対の両端３２ａから鉄製小片６５が離れて導電回路３２が開となる。この場合、導電回路３２の開動作を通信モジュール１０のＡＳＩＣ１２に内蔵された記憶部２１に記憶することができる。
【符号の説明】
【００５５】
１  開封検知容器
２  容器本体
２Ａ  表面基材
２Ｂ  裏面基材
２ａ  窓
３  蓋部
４  開口部
１０  通信モジュール
１１  樹脂基板
１２  ＡＳＩＣ
１３  水晶振動子
１４  ボタン電池
１５  スピーカ
１６  パッド
１７  アンテナパターン
２１  記憶部
２２  制御部
２３  無線通信部
３０  回路付通信モジュール
３１  基材
３２  導電回路
３３  端子回路
３４  マグネット
３５  鉄製小片
４１  マジックテープ
４２  マジックテープ
５１  開封検知容器
５２  容器本体
５２Ａ  胴部
５３  蓋部
５４  口部
５４ａ  開口部
５７  鉄製小片
６１  開封検知容器
６２  容器本体
６２ａ  開口部
６３  蓋部
６３ａ，６３ｂ，６３ｃ，６３ｄ  蓋部分
６５  鉄製小片
【図１Ａ】
2019056892.tif 000003
【図１Ｂ】
2019056892.tif 000004
【図１Ｃ】
2019056892.tif 000005
【図２】
2019056892.tif 000006
【図３】
2019056892.tif 000007
【図４】
2019056892.tif 000008
【図５Ａ】
2019056892.tif 000009
【図５Ｂ】
2019056892.tif 000010
【図５Ｃ】
2019056892.tif 000011
【図６】
2019056892.tif 000012